(57)【要約】【課題】より安全にエスカレータの移動手摺を運んで移動手摺を移動手摺案内レールに載せることを可能とするエスカレータの移動手摺用冶具を提供することである。【解決手段】エスカレータの移動手摺用冶具１０は、エスカレータの移動手摺４を保持する保持部２０と、保持部２０から延設された把持部３０と、を備え、保持部２０は、移動手摺４の上側面４２側に位置する第１保持部２１２と、移動手摺４の少なくとも１つの下側面を支える第２保持部２１４と、を含む。また、エスカレータの移動手摺用冶具１０の第１保持部２１２は、移動手摺４の上側面４２の全幅にわたって延伸している。【選択図】図２
2010042878.tif 000002
【特許請求の範囲】
【請求項１】
エスカレータの移動手摺と移動手摺案内レールとが分離された状態で移動手摺を持ち運ぶためのエスカレータの移動手摺用冶具であって、
エスカレータの移動手摺を保持する保持部と、
保持部から延設された把持部と、
を備えることを特徴とするエスカレータの移動手摺用冶具。
【請求項２】
請求項１に記載のエスカレータの移動手摺用冶具において、
保持部は、
移動手摺の上側面側に位置する第１保持部と、
移動手摺の少なくとも１つの下側面を支える第２保持部と、
を含むことを特徴とするエスカレータの移動手摺用冶具。
【請求項３】
請求項２に記載のエスカレータの移動手摺用冶具において、
第１保持部は、
移動手摺の上側面の全幅にわたって延伸していることを特徴とするエスカレータの移動手摺用冶具。
【請求項４】
請求項２または請求項３に記載のエスカレータの移動手摺用冶具において、
第２保持部は、
移動手摺の端部に係合するための係合部を有することを特徴とするエスカレータの移動手摺用冶具。
【請求項５】
請求項４に記載のエスカレータの移動手摺用冶具において、
第１保持部を回動させるための回動部と、
第１保持部を固定する固定部と、
を備えることを特徴とするエスカレータの移動手摺用冶具。
【請求項６】
請求項２または請求項３に記載のエスカレータの移動手摺用冶具において、
第２保持部は、
移動手摺の２つの下側面を支えるように延伸していることを特徴とするエスカレータの移動手摺用冶具。
【発明の詳細な説明】
【技術分野】
【０００１】
本発明は、エスカレータの移動手摺用冶具に係り、特に、移動手摺を運ぶために使用するエスカレータの移動手摺用冶具に関する。
【背景技術】
【０００２】
最近、駅や商業施設等の様々な場所においてエスカレータが設けられている。エスカレータの保守点検の一環として、図８に示すようにエスカレータの移動手摺４と移動手摺案内レール６とを分離した状態で、それぞれを定期的に清掃する保守点検作業がある。これらの清掃を終えた後、図９に示すように保守作業員８が、移動手摺４を移動手摺案内レール６に載せる際に、移動手摺４の一端側を移動手摺案内レール６に引っ掛けて、保守作業員８が移動手摺４の他端側を手で引っ張って位置を調整し、移動手摺４全体を移動手摺案内レール６に載せる。そして、その後に移動手摺４を移動手摺案内レール６に挿入している。本発明に関連する技術として、特許文献１には、移動手摺を移動手摺案内レールに挿入する冶具が開示されている。
【０００３】
【特許文献１】特開平７−２５２０７９号公報
【発明の開示】
【発明が解決しようとする課題】
【０００４】
しかし、保守作業員が移動手摺の一端側を移動手摺案内レールに引っ掛けて、移動手摺の他端側を手で引っ張りながら移動手摺を運んで位置を調整する際に、移動手摺の張力によって、移動手摺と移動手摺案内レールとの間で指を挟んでしまう可能性がある。
【０００５】
本発明の目的は、より安全にエスカレータの移動手摺を運んで移動手摺を移動手摺案内レールに載せることを可能とするエスカレータの移動手摺用冶具を提供することである。
【課題を解決するための手段】
【０００６】
本発明に係るエスカレータの移動手摺用冶具は、エスカレータの移動手摺と移動手摺案内レールとが分離された状態で移動手摺を持ち運ぶためのエスカレータの移動手摺用冶具であって、エスカレータの移動手摺を保持する保持部と、保持部から延設された把持部と、を備えることを特徴とする。
【０００７】
また、本発明に係るエスカレータの移動手摺用冶具において、保持部は、移動手摺の上側面側に位置する第１保持部と、移動手摺の少なくとも１つの下側面を支える第２保持部と、を含むことが好ましい。ここで、移動手摺の上側面とは、エスカレータの使用状態において上側となる面であり、移動手摺の下側面とは、エスカレータの使用状態において下側となる面である。
【０００８】
また、本発明に係るエスカレータの移動手摺用冶具において、第１保持部は、移動手摺の上側面の全幅にわたって延伸していることが好ましい。
【０００９】
また、本発明に係るエスカレータの移動手摺用冶具において、第２保持部は、移動手摺の端部に係合するための係合部を有することが好ましい。
【００１０】
また、本発明に係るエスカレータの移動手摺用冶具において、第１保持部を回動させるための回動部と、第１保持部を固定する固定部と、を備えることが好ましい。
【００１１】
また、本発明に係るエスカレータの移動手摺用冶具において、第２保持部は、移動手摺の２つの下側面を支えるように延伸していることが好ましい。
【発明の効果】
【００１２】
上記構成のエスカレータの移動手摺用冶具によれば、保守作業員が把持部を持ってエスカレータの移動手摺を保持することができる。これにより、エスカレータの移動手摺をより安全に運んで移動手摺案内レールに載せることができる。
【発明を実施するための最良の形態】
【００１３】
以下に、本発明に係る実施の形態について添付図面を参照しながら詳細に説明する。また、この説明において、具体的な形状、材料、数値、方向等は、本発明の理解を容易にするための例示であって、用途、目的、仕様等にあわせて適宜変更することができる。
【００１４】
図１は、本発明の第１実施形態であるエスカレータの移動手摺用冶具１０の上面図である。図２は、エスカレータの移動手摺用冶具１０の側面図である。エスカレータの移動手摺用冶具１０は、エスカレータの移動手摺４を持ち運んで、移動手摺４を移動手摺案内レールに載せるための冶具である。エスカレータの移動手摺用冶具１０は、保持部２０と、把持部３０とを含んで構成される。
【００１５】
把持部３０は、保守作業員の手で握りやすい大きさと形状を有するグリップである。把持部３０は、後述する保持部２０の中継部２０１から保持部２０の長手方向に沿って延設される。
【００１６】
保持部２０は、エスカレータの保守点検の一環として移動手摺４と移動手摺案内レールとを分離した状態の時に、移動手摺４を保持する機能を有する。保持部２０は、第１保持部２１２と、第２保持部２１４と、中継部２０１と、係合部２１６と、回動部２０６と、固定ネジ２０２、固定板２１０と、回転軸２０８とを含んで構成される。図２には、移動手摺４の断面図が示されており、移動手摺４は、生ゴムを湾曲させて２つの端部４３，４７が向かい合った略Ｃ字形状（図２ではＣ時形状が時計周りに９０度回転している）を有している。
【００１７】
第１保持部２１２は、例えばステンレスで構成された部材である。第１保持部２１２は、図１に示されるように長方形形状を有し、把持部３０の幅Ｖよりも広い幅Ｗを有する。第１保持部２１２は、移動手摺４の上側面４２の全幅にわたった長さＬを有する。第１保持部２１２は、適当な強度を確保する程度の厚みＤを有する。第１保持部２１２は、保守作業員が移動手摺４を持ち運ぶときに、移動手摺４の上側面４２の上方に位置し、移動手摺４の上下方向への動きを規制する機能を有する。
【００１８】
第２保持部２１４は、例えばステンレスで構成された部材である。第２保持部２１４は、図２に示されるように略Ｌ字形状を有しており、側面部材２１４ａと底面部材２１４ｂとを含んで構成される。側面部材２１４ａは、移動手摺４の高さＴよりも少し大きい高さＭを有する。底面部材２１４ｂは、移動手摺４の下側面４６と湾曲部４５によって規定される幅Ｓ（移動手摺４の下側面４６と湾曲部によって規定される同じ幅Ｓである）よりも少し大きい幅Ｎを有する。第２保持部２１４は、保守作業員が移動手摺４を持ち運ぶときに、移動手摺４の下側面４４（あるいは移動手摺４の下側面４６）を支える機能を有する。
【００１９】
係合部２１６は、図２に示されるように第２保持部２１４の底面部材２１４ｂの端部から垂直に立設される。係合部２１６は、移動手摺４の端部４３と係合し、保守作業員が移動手摺４を持ち運ぶときに、移動手摺４が幅方向にずれ動いてしまうことを規制する機能を有する。
【００２０】
中継部２０１は、把持部３０と第１保持部２１２及び第２保持部２１４との間に設けられる部材である。中継部２０１は、その幅が図１に示されるように把持部３０から第１保持部２１２に向かって幅Ｗとなるように広がる形状を有する。
【００２１】
回動部２０６は、第１保持部２１２が第２保持部２１４に向う矢印Ｘ方向あるいは第２保持部２１４から離れる矢印Ｙ方向に回動するために第１保持部２１２と中継部２０１と第２保持部２１４の端部に取り付けられたヒンジである。
【００２２】
固定板２１０は、通常時（固定板２１０の回転動作停止時）は、第１保持部２１２と中継部２０１とに跨って配置される平板である。固定板２１０には、後述する回転軸２０８を挿入するための貫通孔２０７と、後述する固定ネジ２０２を受け入れるための切欠部２０４とが設けられている。
【００２３】
回転軸２０８は、第１保持部２１２の上面に垂直に設けられる軸であり、回転軸２０８を中心として固定板２１０が矢印Ａ方向及び矢印Ｂ方向に回転する。なお、図示しないが回転軸２０８から固定板２１０が抜け出さないように抜け止めが設けられている。固定ネジ２０２は、中継部２０１の上面に垂直に設けられた雄ネジ２０３に螺合して進退する蝶ネジである。固定ネジ２０２を締め付けて固定板２１０の回転動作を停止する。
【００２４】
続いて、上記構成からなるエスカレータの移動手摺用冶具１０の動作について、図１〜図５を参照して説明する。図３は、固定板２１０を回転させて、第１保持部２１２の回動動作が可能な状態としている図である。図４は、エスカレータの移動手摺用冶具１０を移動手摺４に取り付けている様子を示す図である。図５は、エスカレータの移動手摺用冶具１０を左側と右側の両方から移動手摺４に取り付けた様子を示す図である。
【００２５】
第１保持部２１２を矢印Ｘ方向及び矢印Ｙ方向に回動可能とするために、固定ネジ２０２を緩めて、図３に示されるように固定板２１０を回転させる。
【００２６】
第１保持部２１２を矢印Ｙ方向に回動した後に、図４に示されるように、移動手摺４の左側において、把持部３０が移動手摺４に矢印Ｒ方向から係合部２１６と移動手摺４の端部４３とが係合するように位置させる。そして、把持部３０が移動手摺４の上側面４２と平行な状態となるように移動させる。さらに、固定板２１０を元の位置まで回転させ、固定ネジ２０２を締め付けて固定板２１０の回転動作を停止する。同様の手順でエスカレータの移動手摺用冶具１０を移動手摺４の右側からも取り付けて、移動手摺４を保持する。
【００２７】
上記のような状態で、保守作業員が把持部３０を持って移動手摺４を持ち運んで移動手摺案内レールに載せることで、移動手摺４と移動手摺案内レールとの間で指を挟んでしまうことを防止することができる。
【００２８】
次に、図６，７を参照して本発明の第２実施形態であるエスカレータの移動手摺用冶具１１について説明する。図６は、本発明の第２実施形態であるエスカレータの移動手摺用冶具１１の上面図である。図７は、エスカレータの移動手摺用冶具１１の側面図である。ここで、エスカレータの移動手摺用冶具１１は、上記第１実施形態のエスカレータの移動手摺用冶具１０とほぼ同様の構成を有するため、同一構成要素には同一符号を付して重複することとなる説明を援用によって省略し、異なる構成およびその作用について説明する。エスカレータの移動手摺用冶具１１は、第１保持部４１２と、第２保持部４１４と、中継部４０１の部分が相違するため、以下では、特に、その内容について詳細な説明を行う。
【００２９】
第１保持部４１２は、例えばステンレスで構成された部材である。第１保持部４１２は、第１保持部２１２と同様に長方形形状を有して幅Ｗを有する。また、第１保持部４１２は、第１保持部２１２と同様に長さＬを有し、厚みＤを有する。第１保持部４１２は、保守作業員が移動手摺４を持ち運ぶときに、移動手摺４の上側面４２の上方に位置し、移動手摺４の上下方向への移動を規制する機能を有する。第１保持部４１２は、第１保持部２１２とは異なり、第２保持部４１４に向かう方向あるいは第２保持部４１４から離れる方向には回動しない。
【００３０】
第２保持部４１４は、例えばステンレスで構成された部材である。第２保持部４１４は、図７においては略Ｌ字形状を有しており、側面部材４１４ａと底面部材４１４ｂとを含んで構成される。側面部材４１４ａは、第２保持部２１４の側面部材２１４ａと同じ高さＭを有する。底面部材４１４ｂは、移動手摺４の下側面４４と下側面４６とを支える程度に延伸した長さＬを有する。第２保持部４１４は、保守作業員が移動手摺４を持ち運ぶときに、移動手摺４の下側面４４と下側面４６を支える機能を有する。
【００３１】
中継部４０１は、把持部３０と第１保持部４１２及び第２保持部４１４との間に設けられ、中継部２０１と異なり、第１保持部４１２及び第２保持部４１４と直接接続された部材である。
【００３２】
続いて、上記構成からなるエスカレータの移動手摺用冶具１１の動作について、図６，図７を参照して説明する。保守作業員は、把持部３０を持って第１保持部４１２の上面と移動手摺４の上側面４２とが平行になるようにして、図７に示されるように移動手摺４の左側から取り付ける。これにより、第２保持部４１４が移動手摺４の下側面４４と下側面４６とを支えており、上記エスカレータの移動手摺用冶具１０と同様に保守作業員が把持部３０を持って移動手摺４を持ち運び移動手摺案内レールに載せることで、移動手摺４と移動手摺案内レールとの間で指を挟んでしまうことを防止することができる。また、エスカレータの移動手摺用冶具１１は、移動手摺４の下側面４４と下側面４６の両側の下側面を支えていることから、１つのエスカレータの移動手摺用冶具１１のみで移動手摺４を持ち運ぶことができる。
【図面の簡単な説明】
【００３３】
【図１】本発明の第１実施形態であるエスカレータの移動手摺用冶具の上面図である。
【図２】本発明の第１実施形態であるエスカレータの移動手摺用冶具の側面図である。
【図３】本発明の第１実施形態であるエスカレータの移動手摺用冶具の固定板を回転させて、第１保持部の回動動作が可能状態としている図である。
【図４】本発明の第１実施形態であるエスカレータの移動手摺用冶具を移動手摺に取り付けている様子を示す図である。
【図５】本発明の第１実施形態であるエスカレータの移動手摺用冶具を左側と右側の両方から移動手摺に取り付けた様子を示す図である。
【図６】本発明の第２実施形態であるエスカレータの移動手摺用冶具の上面図である。
【図７】本発明の第２実施形態であるエスカレータの移動手摺用冶具の側面図である。
【図８】エスカレータの移動手摺と移動手摺案内レールとを分離した状態を示す図である。
【図９】エスカレータの移動手摺を移動手摺案内レールに乗せている状態を示す図である。
【符号の説明】
【００３４】
４  移動手摺、６  移動手摺案内レール、８  保守作業員、１０，１１  エスカレータの移動手摺用冶具、２０  保持部、３０  把持部、４２  上側面、４３，４７  端部、４４，４６  下側面、４５  湾曲部、２０１，４０１  中継部、２０２  固定ネジ、２０３  雄ネジ、２０４  切欠部、２０６  回動部、２０７  貫通孔、２０８  回転軸、２１０  固定板、２１２，４１２  第１保持部、２１４ａ，４１４ａ  側面部材、２１４ｂ，４１４ｂ  底面部材、２１４，４１４  第２保持部、２１６  係合部。
【図１】
2010042878.tif 000003
【図２】
2010042878.tif 000004
【図３】
2010042878.tif 000005
【図４】
2010042878.tif 000006
【図５】
2010042878.tif 000007
【図６】
2010042878.tif 000008
【図７】
2010042878.tif 000009
【図８】
2010042878.tif 000010
【図９】
2010042878.tif 000011